Podtech/llm-jp-corpus-v4-ja_patent huggingface dataset:
(57)【要約】      （修正有）【課題】携帯品のデザインに使う多様の幾何学模様をデザイナーに頼らず安価に作成できる氷の偏光画像付携帯品を提供する。【解決手段】冬の戸外にできる氷を、２枚の偏光板の間に置き、偏光板の角度を調整して得られる氷の結晶状態に起因する模様の氷の偏光画像を幾何学模様として活用することを特徴とする。スカーフ、ネクタイ、バック、筆箱、うちわ等の携帯品に前記の偏光画像や氷の形成情報などを表示させる。【選択図】図１
0003144479.tif 000002
【実用新案登録請求の範囲】
【請求項１】
氷の偏光画像（２）を表示した携帯品。
【請求項２】
氷の偏光画像（２）と該氷の形成情報（３）とを組み合わせて表示した携帯品。
【考案の詳細な説明】
【技術分野】
【０００１】  本考案は、戸外で採取した氷の偏光画像を撮影し、その画像をデザインに活用した携帯品に関するものである。
【背景技術】
【０００２】  携帯品のデザインに幾何学模様を用いることがある。
【考案の開示】
【考案が解決しようとする課題】
【０００３】  解決しようとする問題点は、幾何学模様はデザイナーがコンピュータグラフィックなどによって作成していたため、制作に経費を要し、デザインの創作性にも限界があった。
【課題を解決するための手段】
【０００４】  本考案は、冬の戸外で採取した氷を、２枚の偏光板の間に置き、偏光板の角度を調整して得られる氷の結晶状態に起因する模様の氷の偏光画像を幾何学模様として活用するものである。
【考案の効果】
【０００５】  氷の偏光画像は、氷の結晶状態が氷ができる時の気温、湿度、風速等の気象条件によって異なることから、唯一な模様が安価に入手できる。
氷を採取した地点名や、その日の気象条件等の氷の形成情報を表示することで、気象現象に関心を引き、地球温暖化防止活動に対する啓蒙が期待できる。
【考案を実施するための最良の形態】
【０００６】  以下、本考案を実施するための最良の形態について図を参照して説明する。
図２は氷の偏光画像を入手する形態を示す。
光源（４）からの光をすりガラス（５）によって拡散し、偏光板１（６）、採取した氷（７）、偏光板２（８）を通し、透過した光をカメラ（９）で撮影し、氷の偏光画像を入手する。
偏光板２（８）を回転することにより画像の色合い、コントラストを調整する。
偏光板２（８）はカメラ（９）に装着してもよい。【０００７】  図１は携帯品の一例であるバッグ（１）の側面に、戸外で採取した氷の偏光画像（２）と、氷を採取した地点名と、採取した日の気象条件としての最低気温を氷の形成情報（３）として表示する。氷の偏光画像（２）と氷の形成情報（３）の組み合わせ方は図１では氷の偏光画像（２）の下側に氷の形成情報（３）を並べて表示しているが、氷の偏光画像（２）の上に氷の形成情報（３）を重ねても良い。また、氷の偏光画像（２）と氷の形成情報（３）をバッグ（１）のそれぞれ別の側面に配置してもよい。氷の形成情報には「初氷」「木枯らし一号」等の気象情報を表示しても良い。
表示方法は印刷、転写、スクリーン印刷、透明フイルムのバックプリント等である。
携帯品は日常生活で身に着けたり、持ち運んで使用するものである。
【実施例】
【０００８】  以下、添付図面に従って実施例を説明する。
図１は氷の偏光画像（２）と氷の形成情報（３）を表示した携帯品としてのバッグ（１）である。バッグ（１）の他の側面に同じ氷の偏光画像、氷の形成情報を表示したり、偏光板２（８）の角度を変えての氷の偏光画像や、別の日や別の地点で採取した氷の偏光画像を表示しても良い。【０００９】  図３は氷の偏光画像（２）と氷の形成情報（３）を表示した携帯品としてのスカーフ（１０）である。氷の偏光画像（２）の大きさはスカーフの前面でも一部でも良い。また、同一または違う氷の偏光画像を複数表示しても良い。【００１０】  図４は氷の偏光画像（２）と氷の形成情報（３）を表示した携帯品としてのネクタイ（１１）である。裏面上に氷の形成情報を表示した例である。【００１１】  図５は氷の偏光画像（２）と氷の形成情報（３）を表示した携帯品としての筆箱（１２）である。対象物は合成樹脂や金属でも良い。【００１２】  図６は氷の偏光画像（２）と氷の形成情報（３）を表示した携帯品としてのうちわ（１３）である。
【図面の簡単な説明】
【００１３】
【図１】本考案の係わるバッグの斜視図である。
【図２】氷を使って幾何学模様を撮影する方法を示した説明図である。
【図３】本考案の係わるスカーフの平面図である。
【図４】本考案の係わるネクタイの平面図である。
【図５】本考案の係わる筆箱の斜視図である。
【図６】本考案の係わるうちわの平面図である。
【符号の説明】
【００１４】１  本考案の係わるバッグ
２  氷の偏光画像の表示
３  氷の形成情報
４  光源
５  すりガラス
６  偏光板１
７  採取した氷
８  偏光板２
９  カメラ
１０  本考案の係わるスカーフ
１１  本考案の係わるネクタイ
１２  本考案の係わる筆箱
１３  本考案の係わるうちわ
【図１】
0003144479.tif 000003
【図２】
0003144479.tif 000004
【図３】
0003144479.tif 000005
【図４】
0003144479.tif 000006
【図５】
0003144479.tif 000007
【図６】
0003144479.tif 000008
【手続補正書】
【提出日】平成20年5月28日(2008.5.28)
【手続補正１】
【補正対象書類名】実用新案登録請求の範囲
【補正対象項目名】全文
【補正方法】変更
【補正の内容】
【実用新案登録請求の範囲】
【請求項１】
氷の偏光画像（２）を表示したスカーフ。
【請求項２】
氷の偏光画像（２）を表示したネクタイ。
【請求項３】
氷の偏光画像（２）と該氷の形成情報（３）とを組み合わせて表示したスカーフ。
【請求項４】
氷の偏光画像（２）と該氷の形成情報（３）とを組み合わせて表示したネクタイ。
【請求項５】
氷の偏光画像（２）と該氷の形成情報（３）とを組み合わせて表示したバッグ。
【請求項６】
氷の偏光画像（２）と該氷の形成情報（３）とを組み合わせて表示した筆箱。
【請求項７】
氷の偏光画像（２）と該氷の形成情報（３）とを組み合わせて表示したうちわ。
(57)【要約】      （修正有）【課題】ホッチキスの針をホッチキスの挿入溝に、楽に、かつ確実に挿入することができるホッチキスの針の挿入具を提供する。【解決手段】ホッチキスの針をホッチキスの挿入溝に挿入する挿入具であり、ホッチキスの針の集合体の上面に吸着する永久磁石と、永久磁石を保持するホルダーと、ホルダーに取り付けられて手で握ることのできる柄とからなることを特徴とする。【選択図】図１
0003144477.tif 000002
【実用新案登録請求の範囲】
【請求項１】
ホツチキスの本体に装填するとき、ホツチキスの針の集合体に、柄の先についた永久磁石を付着させて操作する器具。
【考案の詳細な説明】
【技術分野】
【０００１】  ホツチキスの針の集合体を磁石に付着させることによつて、その移動と装填を安全かつ容易にする。
【背景技術】
【０００２】  小型ホツチキスの針の集合体は、わずかな刺戟によって各個が分離し、本体への装填を困難にした。
【考案の開示】
【考案が解決しようとする課題】
【０００３】  小型ホツチキスの針をホツチキスの本体に装填するとき、指先やピンセットなどのわずかな刺戟によって針の集合体が削れて分離しやすく、装填の作業を困難にする、この難点を克服することである。
【課題を解決するための手段】
【０００４】  手に持つことのできる棒状の柄の先に永久磁石を装備し、それを針の集合体の上面に付着させて操作すれば、針の各個が分離して崩れることもなく、移動と装填が安全でかつ容易である。
【考案の効果】
【０００５】  上記で示した手段を用いれば、小型ホツチキスの針を本体に装填することが安全で容易になる。
【考案を実施するための最良の形態】
【０００６】  ホツチキスの本体に装填するとき、ホツチキスの針の集合体に、柄の先についた永久磁石を付着させて操作する形態。
【実施例】
【０００７】  以下添付図に従つて実施例を説明する。１．は永久磁石、２．は先端に永久磁石を固定した柄である。
図１で示す通り、ホツチキスの針の集合体の上面に永久磁石を付着させれば、磁石の柄を手で操作することによつて、針をいかなる所へでも崩れることなく安全に移動させることができる。よつてホツチキスの所定の位置に運び、安全にかつ容易に装填することができる。
【図面の簡単な説明】
【０００８】
【図１】本考案の実施例を示す側面図である。
【図２】この器具を頭部から見た図である。
【符号の説明】
【０００９】  １．永久磁石、
２．永久磁石に取りつけた柄
３．ホツチキスの針の集合体
【図１】
0003144477.tif 000003
【図２】
0003144477.tif 000004
【手続補正書】
【提出日】平成20年6月3日(2008.6.3)
【手続補正１】
【補正対象書類名】実用新案登録請求の範囲
【補正対象項目名】全文
【補正方法】変更
【補正の内容】
【実用新案登録請求の範囲】
【請求項１】
ホッチキスの針をホッチキスの挿入溝に挿入する挿入具であり、ホッチキスの針の集合体の上面に吸着する永久磁石と、永久磁石を保持するホルダーと、ホルダーに取り付けられて手で握ることのできる柄とからなることを特徴とするホッチキスの針の挿入具。
【手続補正２】
【補正対象書類名】明細書
【補正対象項目名】全文
【補正方法】変更
【補正の内容】
【考案の詳細な説明】
【技術分野】
【０００１】  本考案は、ホッチキスの針をホッチキスの挿入溝に、楽に、かつ確実に挿入することができるホッチキスの針の挿入具に関するものである。
【背景技術】
【０００２】  ホッチキス、中でも、小型のホッチキスでは、針を本体に設けられた挿入溝の中に充填するのに苦労する。特に、年配者や障害者ではその傾向が強い。針は多数のものが軽く接着されているから、これを挿入溝に入れ損なうと、本体に当たってバラバラになり、無駄になる。また、分離したものが指等を傷付ける虞もある。
【考案の開示】
【考案が解決しようとする課題】
【０００３】  本考案は、このような課題を解決したものであり、楽に、かつ確実、安全に挿入できるようにしたものである。
【課題を解決するための手段】
【０００４】  そこで、本考案は、ホッチキスの針をホッチキスの挿入溝に挿入する挿入具であり、ホッチキスの針の集合体の上面に吸着する永久磁石と、永久磁石を保持するホルダーと、ホルダーに取り付けられて手で握ることのできる柄とからなることを特徴とするホッチキスの針の挿入具を提供するのである。
【考案の効果】
【０００５】  この挿入具でホッチキスの針（集合体）を吸着して本体の挿入溝に持って行くと、吸着力はそれほど強くないし、また、柄にも弾力性があるから、針が本体に当たったとしても、個々のものがバラバラになるほどの衝撃力は生じない。仮にバラバラになっても、柄は針から離れているから、手に突き刺さる事態が少ない。このため、針を本体に装填することが、容易、確実、安全である。
【考案を実施するための最良の形態】
【０００６】  以下、本考案の実施の形態を図面を参照して説明する。図１はこの挿入具の使用状態を示す一部断面側面図、図２は同じく一部断面正面図であるが、ホッチキスＡは周知のものであり、針充填部１と、針押え２と、針折り曲げ台３とからなる。これにおいて、針充填部１には、針４の集合体５を挿入する挿入溝６が設けられている。なお、挿入溝６の後方にはバネ７で先端側に弾発される押し体８が設けられており、押し体８を後方に押しやってその間に針４の集合体５を挿入する。【０００７】  挿入具Ｂは永久磁石９と、これを保持するホルダー１０と、ホルダー１０に取り付けられる柄１１とからなる。永久磁石９は針の集合体４の上面（凹んでいない方の面）を吸着するものであり、形状・寸法は集合体４の面積よりやや小さいものに設定してある。ホルダー１０は集合体５を外れないように保持するものであり、柄１１はホルダー１０に取り付けられて手で握ることができる程度の太さ、長さのものである。【０００８】  以上により、この挿入具Ｂによって針４を挿入溝６に充填しようとするときは、まず、針４の集合体５の上面を永久磁石９で吸着する。次いで、柄１１を動かして挿入溝６の上方まで持って行き、挿入溝６に充填する。このとき、仮に挿入溝６以外の部分に当たっても、上記したようにその衝撃はそれほど強くならないから、針４がバラバラになるまでには至らない。仮にバラバラになっても、柄１１は針４から離れているから、手に突き刺さる事態が少ない。そして、一度失敗したとしても、このようなことを繰り返すことで、最後はうまく充填できる。したがって、充填操作が容易であり、かつ確実、安全である。
【図面の簡単な説明】
【０００９】
【図１】本考案に係る挿入具の使用状態を示す一部断面側面図である。
【図２】本考案に係る挿入具の使用状態を示す一部断面正面図である。
【符号の説明】
【００１０】    １    針充填部    ２    針押え    ３    針折り曲げ台    ４    針    ５    針の集合体    ６    挿入溝    ７    バネ    ８    押し体    ９    永久磁石    １０  ホルダー    １１  柄
【手続補正３】
【補正対象書類名】図面
【補正対象項目名】全図
【補正方法】変更
【補正の内容】
【図１】
0003144477.tif 000005
【図２】
0003144477.tif 000006
(57)【要約】      （修正有）【課題】薪などの木材が有するエネルギーを熱交換して利用し、また、ペレットを主燃料として自動燃焼するペレットボイラーに対し、薪などの木材を追加燃焼する機能を兼備させる。【解決手段】ペレットを主燃料として自動燃焼するペレットボイラーであって、しかも、薪などの木材を乗せて追加燃焼させるために、燃焼受け皿の上部に掛け渡した金属格子を設備する、という構成からなっている。【選択図】図１
0003144474.tif 000002
【実用新案登録請求の範囲】
【請求項１】
ペレットを主燃料として自動燃焼しつつ、かつ、薪などの木材を乗せて追加燃焼させるために、燃焼受け皿の上部に掛け渡す金属格子を設備した、ペレットボイラー。
【考案の詳細な説明】
【技術分野】
【０００１】  この考案は、ペレットを主燃料とし、かつ、薪・剪定枝・木っ端などを補充燃料とするペレットボイラ−に関するものである。
【背景技術】
【０００２】（イ）家庭または木工所などの作業に伴って、薪・剪定枝・木っ端などが不断に発生する。これらは、従来、廃棄物として処理されている。
（ロ）しかし、これは、エネルギーの有効活用にはならない。そこで、これらの木材の有する潜在的なエネルギーを熱変換して利用することが求められる。【０００３】（ハ）そのためには、一方で、ペレットを燃料とするペレットボイラーがあり、他方で、薪を燃料とする薪ボイラーがある。
（ニ）前者は、ペレット燃料を専用とするので、自動燃焼であるのに対し、薪ボイラ−は、不定形な薪を燃料とし、定期的に燃料の補給を必要とするので、手動燃焼となる。
（ホ）ところが、ペレットボイラーは、従来、例えば、薪などの木材を始め、ペレット以外の固形燃料と一緒に燃焼することが困難であった。
【考案の開示】
【考案が解決しようとする課題】
【０００４】  この考案が解決しようする問題点は、次の通りである。
（イ）先ず、薪・剪定枝・木っ端などを廃棄物として処理すると、エネルギーの有効活用にはならない。木材の有する潜在エネルギーを燃焼して熱変換することが必要となる。
（ロ）次に、ペレットボイラーは、ペレットを燃料とすれば自動燃焼となるが、薪などの木材を燃料として併用することが困難である。ペレットを主たる燃料としつつ、薪などを燃料として手動式で燃焼する装置が必要となる。
【課題を解決するための手段】
【０００５】  この考案が解決する手段は、次の通りである。
（イ）ペレットを主燃料として自動燃焼するペレットボイラー（１）である。
（ロ）また、薪などの木材（１２）を乗せて追加燃焼させるために、燃焼受け皿（１０）の上部に掛け渡して、金属格子（グレーチング）（８）を設置したペレットボイラー（１）である。
【考案の効果】
【０００６】  この考案の効果は、次の通りである。
（イ）先ず、薪などの木材（１）の有する潜在的なエネルギーを燃焼し熱変換することになるので、自然エネルギーを有効活用することになる。
（ロ）次に、ペットボイラー（１）の有する自動燃焼の利点を生かしつつ、かつ、薪ボイラーの手動燃焼の利点をも加えることになる。
（ハ）最後に、薪などの木材の追加燃焼によって、ペレットボイラー（１）の設定水温に至るまでの燃焼時間が短縮されるので、急速に過熱が可能となり、しかも、ペレットの消費量が減少する結果となるので、経済的な効果もあがる。
【最良の実施例】
【０００７】  この考案の最良の実施例は、次の通りである。
（イ）燃料供給用のオーガー（５）から自動的に供給を受けたペレット（６）を燃焼受け皿（１０）で燃焼させることによって、ペレットボイラー（１）は自動燃焼する。
（ロ）また、必要に応じて、ボイラー（１）の前面にある開口部（１１）の扉を開け、薪などの木材（１２）を入れ、燃焼受け皿（１０）の上部に掛け渡した金属格子（グレーチング）（８）の上に乗せて追加燃焼させることもできる。
（ハ）ペレットや薪などの木材の燃焼によって、金属格子（８）の隙間から落ちた灰・炭などを灰掻出用オーガー（９）によって粉砕し、ボイラー（１）の底部に落下させる。
（ニ）手動による薪など木材（１２）の追加燃焼が終わると、ペレットボイラー（１）はペレット燃焼のみの自動運転に戻る。
【実施例】
【０００８】  この考案の実施例は、次の通りである。
（イ）ペレットボイラー（１）の燃焼室（２）の背面にある断熱材（３）の部分にペレットの供給口（４）を設け、そこに燃料供給用のオーガ−（５）を通してペレット燃料を自動的に供給（６）する。これによって、ペレットボイラー（１）は自動燃焼する。
（ロ）ボイラー（１）の燃焼室（２）の背面にあたる内壁に装置した燃焼受け皿（１０）の上にあるペレットに着火用ヒーター（７）をもって着火し燃焼させる。これによって、ボイラー（１）の上部に設置された水槽（１６）の水を加熱する（１５）。
（ハ）燃焼受け皿（１０）で燃焼したペレットの灰を灰掻出用のオーガー（９）によって粉砕し、ボイラー（１）の底部に落下させる（１４）。
（ニ）そして、この燃焼受け皿（１０）の上部に金属格子（グレーチング）（８）を設置し、必要に応じて、ペレットボイラー（１）の前面にある開口部（１１）の扉を開け、薪などの木材（１２）を入れ、金属格子（８）の上に乗せると、ペレットの燃焼（１６）に伴って、薪などの木材（１２）は直ちに燃焼する。
（ホ）この薪など木材（１２）の燃焼によって、金属格子（８）の隙間から落下した灰・炭などを灰掻出用のオーガー（９）によって粉砕し、ペレットの燃焼による灰と一緒に、ボイラー（１）の底部に落下させる（１４）。
（ヘ）手動による薪など木材（１２）の追加燃焼が終わると、ペレットボイラー（１）はペレット燃焼だけの自動燃焼に戻る。
【図面の簡単な説明】
【０００９】
【図１】  本考案の装置を正面からみた横断面図である。
【図２】  本考案の装置を側面からみた縦断面図である。
【符号の説明】
【００１０】  １    ペレットボイラー
２    燃焼室
３    断熱材
４    ペレット供給口
５    燃料供給用オーガー
６    ペレットの供給と燃焼
７    着火用ヒーター
８    金属格子
９    灰掻出用オーガー
１０    燃焼受け皿
１１    燃焼用空気孔
１２    開口部
１３    薪などの木材
１４    ファン
１５    灰の落下と集積
１６    熱の流れ
１７    水槽
１８    煙の流れ
１９    煙管
【図１】
0003144474.tif 000003
【図２】
0003144474.tif 000004
(57)【要約】      （修正有）【課題】使用済みの加工液(廃液)をより濾過、浄化させて加工液としてより長く循環使用できるようにし、且つ研削盤などの加工基準面への鉄屑等の刺さりによる寸法誤差を少なくすると共に、浄化液を汲み上げるポンプの過熱を防止し、放電電極加工機にも使用できるようにした加工液の循環浄化装置を提供する。【解決手段】金属加工機械器具からの使用済み加工液(廃液)を濾過する一次濾過槽と、一次濾過槽より溢れ出た濾過液を浄化する二次濾過槽とよりなり、この二次濾過槽は仕切り板によって仕切られた複数の浄化流路と、これら浄化流路の流れ方向に対し交差するフィルターと、隣接する浄化流路の境界に設けて浄化液の流出入が自在な流出口とを設けてあり、最終の浄化流路の終端にはポンプを設けて浄化液の吸引を自在とし、この浄化液を金属加工機械器具の加工部に循環自在とした加工液の循環浄化装置である。【選択図】図１
0003144428.tif 000002
【実用新案登録請求の範囲】
【請求項１】
金属加工機械器具からの使用済み加工液(廃液)を濾過する一次濾過槽と、一次濾過槽より溢れ出た濾過液を浄化する二次濾過槽とよりなり、この二次濾過槽は仕切り板によって仕切られた複数の浄化流路と、これら浄化流路の流れ方向に対し交差するフィルターと、隣接する浄化流路の境界に設けて浄化液の流出入が自在な流出口とを設けてあり、最終の浄化流路の終端にはポンプを設けて浄化液の吸引を自在とし、この浄化液を金属加工機械器具の加工部に循環自在とした加工液の循環浄化装置。
【考案の詳細な説明】
【技術分野】
【０００１】
本考案は研削盤等の金属加工機械器具で使用する加工液の循環浄化装置に関する。
【背景技術】
【０００２】
従来この種の使用済みの加工液(廃液)は集塵機から、２〜３枚のペーパーフィルターよりなる濾過槽を通して沈殿槽に貯留し、この沈殿槽の浄化液をポンプで汲み上げ加工機の加工部に循環させるようになっている。
【０００３】
然しながら使用済み加工液に含まれる金属屑などのゴミの濾過が不十分で、ゴミ混入のまま循環させることとなり加工機による製品の寸法に誤差を生じたり、ポンプに負担がかかり加熱する恐れがある。
【考案の開示】
【考案が解決しようとする課題】
【０００４】
そこで本考案は、使用済みの加工液(廃液)をより濾過、浄化させて加工液としてより長く循環使用できるようにし、且つ研削盤などの加工基準面への鉄屑等の刺さりによる寸法誤差を少なくすると共に、浄化液を汲み上げるポンプの過熱を防止し、放電電極加工機にも使用できるようにしようとするものである。
【課題を解決するための手段】
【０００５】
金属加工機械器具からの使用済み加工液(廃液)を濾過する一次濾過槽と、一次濾過槽より溢れ出た濾過液を浄化する二次濾過槽とよりなり、この二次濾過槽は仕切り板によって仕切られた複数の浄化流路と、これら浄化流路の流れ方向に対し交差するフィルターと、隣接する浄化流路の境界に設けて浄化液の流出入が自在な流出口とを設けてあり、最終の浄化流路の終端にはポンプを設けて浄化液の吸引を自在とし、この浄化液を金属加工機械器具の加工部に循環自在とした加工液の循環浄化装置である。
【考案の効果】
【０００６】
本考案の効果として、加工液がより浄化されて加工液の循環使用期間が長くなり、しかも加工基準面への鉄屑等の刺さりによる寸法誤差が少なくなって精密な金属加工ができ、ポンプの加熱による停止、損傷は殆どなくなりスムーズな作業ができる。
【実施例】
【０００７】
図示しない研削盤等の金属加工機械器具からの使用済み加工液(廃液)を集塵機により吸い上げて濾過する一次濾過槽１と、一次濾過槽１の溢出口１’より溢れ出た濾過液を浄化する二次濾過槽２とよりなり、この二次濾過槽２は仕切り板３、３‥によって仕切られた複数の浄化流路４，４‥と、これら浄化流路４，４‥の流れ方向Ａ（一点鎖線矢印）に対し交差する複数のフィルター５，５‥と、隣接する浄化流路４，４の流れ方向Ａの終端位置の仕切板３で次段浄化流路４に浄化液の流出入が自在な流出口６とを設けてあり、最終の浄化流路４の終端にはポンプ７を設けて浄化液の吸引を自在とし、この浄化液を図示しない金属加工機械器具の加工部８に循環自在としたものである。
【０００８】
フィルター５は着脱自在となっていて汚れに応じて交換できるようにし、ポンプ７は浄化液の量に応じて作動するようにしてある。
【０００９】
研削盤等の金属加工機械器具からの使用済み加工液は集塵機に集められて一次濾過槽１の濾過紙上に流出させて一次濾過槽１内に貯留し、この一次濾過槽１の溢出口１’より溢れ出た濾過液(加工液)は、二次濾過槽２の最初の浄化流路４の始端側に流下し流量に応じフィルター５，５‥を透過しながら該浄化流路４の終端側に流下し流出口６から溢れ出た浄化液(加工液)は次段浄化流路４に順に流下する。最終の浄化流路４からポンプ７を経由し、浄化液を金属加工機の加工部８に循環させ再使用される。
【００１０】
フィルター５，５‥は図２に示すように枠板９に設けた透過孔１０に透過布１１が貼られており、この透過布１１は汚れに応じ交換する。又図３に示すように透過孔１０は角型状としても良く、その他任意の形状でよい。フィルター５，５‥は浄化流路４の側壁に設けた案内溝１２（図４）に着脱自在となっている。
【図面の簡単な説明】
【００１１】
【図１】本考案に係る加工液の循環浄化装置の説明図。
【図２】フィルターの拡大説明図。
【図３】他実施例に係るフィルターの拡大説明図。
【図４】フィルターの装着状態の拡大説明。
【符号の説明】
【００１２】
１：一次濾過槽
１’：溢出口
２：二次濾過槽
３：仕切板
４：浄化流路
５：フィルター
６：流出口
７：ポンプ
８：加工部
９：枠板
１０：投下孔
１１：透過布
１２：案内溝
【図１】
0003144428.tif 000003
【図２】
0003144428.tif 000004
【図３】
0003144428.tif 000005
【図４】
0003144428.tif 000006
【手続補正書】
【提出日】平成20年6月26日(2008.6.26)
【手続補正１】
【補正対象書類名】明細書
【補正対象項目名】０００８
【補正方法】変更
【補正の内容】
【０００８】
フィルター５は着脱自在となっていて汚れに応じて交換できるようにしてある。
(57)【要約】      （修正有）【課題】展開した表装紙と同形の大きい資料を折らずに出し入れ保管することのできるファイルを提供する。【解決手段】ポケットフィルムを複数枚重ねて中心にて２つ折り可能に重着し、且つ最内のポケットフィルム６を一辺を除いて２つ折り表装紙の内面に周着して該２つ折り表装紙１と最内のポケットフィルム６との間で表装紙大の大型ポケット７を設けて、ファイルの展開大きさの資料等を折らずに出し入れ保管できるようにしたことを特徴とする。【選択図】図４
0003144426.tif 000002
【実用新案登録請求の範囲】
【請求項１】
ポケットフィルムを複数枚重ねて中心にて２つ折り可能に重着し、且つ最内のポケットフィルムを一辺を除いて２つ折り表装紙の内面に周着して該２つ折り表装紙と最内のポケットフィルムとの間で表装紙大の大型ポケットを設けるようにしたことを特徴とするファイル。
【請求項２】
大型ポケットは２乃至複数個重ねて設ける請求項１に記載のファイル。
【請求項３】
大型ポケットはＡ３，Ｂ４の大きさである請求項１または２に記載の記載のファイル。
【考案の詳細な説明】
【技術分野】
【０００１】
この考案は保険証書，医療関係，健康，生活および各種の保存用書類，カードなどを系統別に保管し得て、さらに２つ折り表装紙の展開大きさの資料を折らずに収容することができる大型ポケットを設けたファイルに関するものである。
【背景技術】
【０００２】
本願出願人はこの種のファイルとして登録実用新案第３１４００９８号公報にて、深いマチ付きポケット，浅いマチ付きポケット，マチなしポケットを組合わせ自在に設けて、保険証書，医療関係の書類，カードなど、枚数の多いもの，少ないものなどを系統別に整理して収容保管することができるようにしたことを提案した。
【特許文献１】登録実用新案第３１４００９８号公報
【考案の開示】
【考案が解決しようとする課題】
【０００３】
しかしながら、上記の実用新案は各種の書類を系統別に整理収容して保管することができるものの、Ａ３，Ｂ４などの大型の書類は２つ折りしないとポケット内に収容することができないという課題があった。
【課題を解決するための手段】
【０００４】
本考案は、ポケットフィルムを複数枚重ねて中心にて２つ折り可能に重着し、且つ最内のポケットフィルムを一辺を除いて２つ折り表装紙の内面に周着して該２つ折り表装紙と最内のポケットフィルムとの間で表装紙大の大型ポケットを設けるようにして、かかる課題を解消したのである。
【考案の効果】
【０００５】
本考案のファイルは、２つ折り表装紙との最内のポケットフィルムとの間で展開大きさの大型ポケットを設けたので、Ａ３，Ｂ４などの大きな書類も折り畳むことなしに収容し保管することができるという効果を生ずる。大型の書類を折らずに収容し保管することで折りによって生じていた証書などの損傷を防止することができるという効果を生ずる。
【０００６】
大型ポケットを２以上に重ねて設けるときは、大きな書類を系統別に区分して保管することができるという効果を生ずる。
【考案を実施するための最良の形態】
【０００７】
本考案は、ポケットフィルムを複数枚重ねて中心にて２つ折り可能に重着し、且つ最内のポケットフィルムを一辺を除いて２つ折り表装紙の内面に周着して該２つ折り表装紙と最内のポケットフィルムとの間で表装紙大の大型ポケットを設けるようにして、Ａ３，Ｂ４などの大型の書類を折らずに収容し保管できるようにしたのである。
【実施例１】
【０００８】
図１乃至図４は展開するとＡ３の大きさとなり、２つ折りするとＡ４形のファイル２となる実施例であって、大小のマチ付きポケット３、大小の袋体４などを形成する複数枚のポケットフィルム５を重ね、中心で２つ折り可能に重着し、最内のポケットフィルム６を上辺を除いて３辺を２つ折り表装紙１の内面に周着Ｗして表装紙１の内面と最内のポケットフィルム６との間で大型ポケット７を形成するようにしたのである。
【０００９】
２つ折り表装紙１を展開すると大型ポケット７は上辺が出し入れ口７ａとなって大きく開き、Ａ３大きさの資料Ｓを折らずに収容することができる。大型ポケット７は上辺全体が開くことで資料Ｓの出し入れを至極容易なものにする。収容した資料の記入事項等も収容したままポケットフィルム６の外側から透視して確認することができることとなる。大型ポケット７はファイル２の折り閉じに従って中心にて折られることとなるが、最内のポケットフィルム６はファイル２の背表紙２ａに接着していないので、接着に伴う線状の折目ができないことで収容資料は全く折目がつかないことになる。Ａ４より小さな書類，カード類は適宜の大きさのポケット３または袋体４を選択して系統別に整理して収容し保管するのである。
【実施例２】
【００１０】
図５は最内のポケットフィルム６の内側にもう１枚単体のポケットフィルム６ａを挟んで表装紙１の内面に重合周着Ｗして２個の大型ポケット７，７を形成し、それぞれにＡ３の資料Ｓを区分して出し入れ保管することができるようにしたものである。
【実施例３】
【００１１】
図６はＢ５形のファイル２２にＢ４サイズの資料を折り畳まずに収容することができる大型ポケット７を形成した第２実施例を示すもので、大きさ以外の点は下の図に示すＡ４形ファイル２と同じである。
【００１２】
なお大型ポケット７を形成する最内のポケットフィルム６の外面に重着される各ポケット３および袋体４は、２つ折りしたファイル２，２２と同形の大きさからハガキ，名刺・カード大などに区分したもの，蓋付きまたは蓋なしのもの、縦入れまたは横入れ式のもの、浅いマチ，深いマチを重ねて形成するなど用途に沿った大きさと形状にて自由に設けることができる。
【産業上の利用可能性】
【００１３】
本考案は、ファイルの展開大きさまでの大きな資料を折らずに出し入れ保管することのできる大型ポケットを有す使い勝手のよいファイルとして広く利用することができるものである。
【図面の簡単な説明】
【００１４】
【図１】各種のポケットフィルムと袋体を重着した最内のポケットフィルムと展開した２つ折り表装紙を周着前の状態にて示す斜視図
【図２】同、周着後の斜視図
【図３】同、２つ折りした状態の斜視図
【図４】大型ポケットの出し入れ口を開口した状態を示す視図
【図５】大型ポケットを２個形成する例を示す周着前の斜視図
【図６】Ｂ５形のファイルとＡ４形ファイルを展開した状態にて並べて示す正面図
【符号の説明】
【００１５】
１は表装紙
２はＡ４形ファイル
２２はＢ５形ファイル
２ａは背表紙
３はポケット
４は袋体
５はポケットおよび袋体を形成するフィルム
６は最内のポケットフィルム
６ａは単体のポケットフィルム
７は大型ポケット
７ａは出し入れ口
Ｗは周着
Ｓはファイルの展開大きさの資料
【図１】
0003144426.tif 000003
【図２】
0003144426.tif 000004
【図３】
0003144426.tif 000005
【図４】
0003144426.tif 000006
【図５】
0003144426.tif 000007
【図６】
0003144426.tif 000008
(57)【要約】      （修正有）【課題】石鹸入れの石鹸の水切れ等を良くし、石鹸が軟化したり石鹸の周囲がベトベト状などになることのない石鹸容器を提供する。【解決手段】石鹸保持具Ｃは、ある高さ、長さ、太さを持った円柱、角柱などの突起物で石鹸Ａを保持し、石鹸使用後の水分等を、この円柱、角柱を伝わせて水切りをする。水切りした水分は円弧Ｅによって導かれ排水穴Ｆより排出されこの課題を解決する。【選択図】図１
0003144500.tif 000002
【実用新案登録請求の範囲】
【請求項１】
石鹸等を支える円柱や角柱などの突起物を持った石鹸容器。
【考案の詳細な説明】
【技術分野】
【０００１】本考案は石鹸等の容器に関する。
【背景技術】
【０００２】従来の石鹸容器等では石鹸を保持する底部は山形、波型などになっているが水切りが不良で一部溶けた石鹸がぬめりのあるベトベトとなり不快感不潔感となっている。また石鹸が軟化し一部無駄になっている。
【考案の開示】
【考案が解決しようとする課題】
【０００３】しかし、これでは、石鹸使用後の一部溶けた柔らかい、ぬめりのベトベトした石鹸分が乾きにくい為、石鹸を保持する底部などに溜まり、次に使う時非常に不快感及び不潔感がある。
また石鹸の軟化による一部の無駄も節約する。
【課題を解決するための手段】
【０００４】そこで、石鹸を保持する低部を、ある高さ、太さ、長さのまたある数の円柱や角柱等の突起物とし、ある角度の円弧と排水穴を設ける。
また、容器側面には垂直方向に凸部も設ける容器を考案した。（図１）
尚石鹸容器の上蓋及び下蓋は別に設ける。
【考案の効果】
【０００５】よって、本考案の石鹸を保持する底部をある高さ、太さ、長さの円柱や角柱等の突起物にする事また、容器底部の円弧により、円柱や角柱から伝わってきた水は底部の排水穴に導かれる、更に側面垂直方向に凸部にする事により、石鹸と容器の接触面が面から点となり、水切り及び乾燥が格段に良化する。
そのため、石鹸使用後の一部溶けた柔らかい、ぬめりのある不快感、不潔感のあるベトベトの石鹸は出来なくなる。
また、石鹸の一部が軟化し溶け出たぬめりや、ベトベトが解消され石鹸を最後まで使い切れるので、無駄が無くなり、経済性も達成できる。
【考案を実施するための最良の形態】
【０００６】本考案に係る石鹸を保持する底部は、図１に示すように、石鹸Ａを支えるある太さ、長さの突起物Ｂを持った石鹸保持具Ｃを備えている。
その上、この保持具Ｃは、側面（複数面）に垂直方向に凸部Ｄを設け、底部はある角度の円弧Ｅ、に形成され，また各角みにはある大きさの排水穴Ｆを設けている。
全体としての、石鹸容器は、この保持具を支える石鹸容器下蓋Ｇと、上蓋Ｈ、から成っている。
【図面の簡単な説明】
【０００７】
【図１】本考案に係る石鹸保持具を石鹸容器にセットした状態の断面図である。
【図２】本考案に係る石鹸保持具の平面図である。
【符号の説明】
Ａ      石鹸
Ｂ      ある高さ、太さ、長さを持った、円柱、角柱等
Ｃ      石鹸保持具
Ｄ      側面（複数面）部
Ｅ      石鹸保持具のある角度の円弧
Ｆ      石鹸保持具の各角の排水穴
Ｇ      石鹸容器の下蓋
Ｈ      石鹸容器の上蓋
【図１】
0003144500.tif 000003
【図２】
0003144500.tif 000004
(57)【要約】      （修正有）【課題】地震力（振動）や強風などにおいて、転倒、傾斜及びねじれが発生しにくい基礎を提供する。【解決手段】構造物が、地震力（振動）、強風などによって、転倒、傾斜及びねじれないようにすることであり、これらを防ぐために、基礎の短辺方向の芯に、長辺方向に地中壁を設け、転倒モーメントに対応できるように、抵抗接地面積を多く設けて、耐圧盤と地中壁を１体として、Ｔ型断面を持つ基礎とする。【選択図】図１
0003144495.tif 000002
【実用新案登録請求の範囲】
【請求項１】
構造物の基礎において、耐圧盤の短辺方向の芯に対して、長辺方向に地中壁を設け、構造物の全体重心（Ｇ）の高さよりも、有効接地距離を長くして、抵抗接地面積を多くして、構造物の転倒、傾斜及びネジレを防ぐために、耐圧盤と地中壁を１体にしたＴ型断面を持つ基礎の形状。
【考案の詳細な説明】
【技術分野】
【０００１】本考案は、基礎部の形状であり、耐圧盤に１体に地中壁を設け、Ｔ型断面とし、外力（地震力、強風など）に対応できる基礎である。
【背景技術】
【０００２】現状においては、長方形（平面的に）あるいは、ウナギの寝床などの構造物に対して、基礎として、ベタ基礎、ベタ（耐圧盤）と地中梁の併用基礎、杭との併用基礎などで設計している。
【考案の開示】
【考案が解決しようとする課題】
【０００３】細長い構造物などの基礎に対して、地震力（振動）、強風などにおいて、転倒、傾斜及びねじれを起さないようにすることである。
【課題を解決するための手段】
【０００４】構造物の基礎部の耐圧盤の短辺方向の芯に、長辺方向に地中壁を設けて、耐圧盤と地中壁を１体としたＴ型断面を持つ基礎とすることである。
そして、構造物の全体重心（Ｇ）の高さよりも、有効接地距離を長くして、抵抗接地面積を多くして、地震力（振動）、強風などにおいて、転倒、傾斜、ねじれを構造物に起さないようにする基礎である。
【考案の効果】
【０００５】地震力（振動）、強風などにおいて、構造物の転倒、傾斜及びねじれを防ぐために、対応できる基礎の形状である。
【考案を実施するための最良の形態】
【０００６】細長い、あるいは、狭い土地などに構造物を建築する時などに対して、外力（地震力、強風など）に対応でき、そして、施工が容易な基礎である。
【実施例】
【０００７】耐圧盤の短辺方向の芯に、地中壁を長辺方向に１体に設けて、Ｔ型断面を持つ基礎にすると、構造物が安定するのである。
【図面の簡単な説明】
【０００８】
【図１】Ｔ型基礎の断面図
【図２】Ｔ型基礎の平面図
【図３】転倒モーメントに合った基礎断面図
【符号の説明】
【０００９】１  全体重心（Ｇ）
２  耐圧盤から全体重心までの高さ（ｍ）
３  転倒モーメントによる半径（ｍ）
４  耐圧盤の有効接地長さ（ｍ）
５  地中壁の有効長さ（ｍ）
６  耐圧盤
７  地中壁
８  長辺方向の長さ（ｍ）
９  短辺方向の長さ（ｍ）
１０  抵抗接地面積（ｍ２）
【図１】
0003144495.tif 000003
【図２】
0003144495.tif 000004
【図３】
0003144495.tif 000005
【手続補正書】
【提出日】平成20年6月5日(2008.6.5)
【手続補正１】
【補正対象書類名】実用新案登録請求の範囲
【補正対象項目名】請求項１
【補正方法】変更
【補正の内容】
【請求項１】
構造物の基礎において、耐圧盤の短辺方向の芯に対して長辺方向に地中壁を設け、構造物の全体重心（Ｇ）の高さよりも、有効接地距離を長くして、抵抗接地面積を多くして、構造物の転倒、傾斜及びネジレを防ぐために、耐圧盤と地中壁を１体にしたＴ型断面を持つ形状の基礎。
(57)【要約】      （修正有）【課題】仏壇の前に置いて仏具やお供え物等を飾る為に用いて、組み立て及び移動が簡単で、小さい面積で使用でき、コンパクトに収納が可能な盆飾り棚を提供する。【解決手段】盆飾り棚において、両側版１，１ａと、上段板２を蝶板で、折り畳み自在に形成し、前記両側版前面に下段板と一体となった固定バーを１，１ａに固定された５，５ａにはめ込み固定、上段板２には、７，７ａの穴を、また、下段板には、８，８ａの穴を設ける。【選択図】図１
0003144466.tif 000002
【実用新案登録請求の範囲】
【請求項１】
一方の側板と他方の側板との間に上段板と下段板とを有する盆飾り棚において、前記上段棚は、前記一方の側板と蝶番、前記他方の側板と蝶番により、それぞれ取り付けられ、前記下段板は前記一方の側板の内壁に取り付けた一方の補助具の溝部に、前記他方の側板の内壁に取り付けた他方の補助具の溝部にそれぞれ差し込んで固定することを特徴とする盆棚飾り。
【考案の詳細な説明】
【技術分野】
【０００１】
本考案は、毎年お盆に、仏壇の前に置いて仏具やお供え物等を飾る為に用いて、組み立て及び移動が簡単で、小さい面積で使用でき、コンパクトに収納が可能な盆飾り段に関するものである。
【背景技術】
【０００２】
お盆に、御先祖を祀る為、各家庭では盆飾り棚を所有している。従来の盆飾り棚は、その大きさゆえに、組み立てが面倒で設置場所への移動も大変である。そして、使用時に部屋の中である程度の面積を必要とする。また、一年にお盆の時期のみ使用するものであるが、収納にもまとまったスペースを必要とする。
また、盆飾り棚に使用する竹飾りは、盆飾り棚の脚の部分に紐等を使用し固定されている。
【考案の開示】
【考案が解決しようとする課題】
【０００３】
本考案は、毎年お盆に使用する盆飾り棚を仏壇の幅に合わせて作成することで、使用面積を少なく、又、収納スペースを小さくおさえ、またそれによって組み立て及び移動が簡単であり、竹飾りを穴に入れ立てるだけで簡単に設置可能な盆飾り棚を提供しようとするものである。
【課題を解決するための手段】
【０００４】
上記目的を達成するために、請求項1に記載の考案に置いて、盆飾り棚の幅及び高さを設置予定場所後方の仏壇に合わせた大きさで作成できることを特徴としたものである。
【０００５】
更に、請求項２に記載の考案に置いて、上段部と２枚の側板部が、蝶板で二つ折り自在に形成されており、側板部前部には下段部棚板を固定し、側板部後部には固定バーを固定することを特徴としたものである。
【０００６】
更に、請求項３に記載の考案に置いて、盆飾り棚の上段面の左右両側、及び、下段面の左右両側に竹飾りを立てるための穴を設けたことを特徴としたものである。
【考案の効果】
【０００７】
上述のように、本考案の「盆飾り棚」は、仏壇の幅に合わせた大きさで使用し、盆飾り棚に必要な機能を集約しているため、仏壇の前に設置することができ、使用時、収納時共にコンパクトに収まり、現在の住宅事情に適応している。また、竹飾りも、穴に立てるだけで簡単に設置することが出来る。
【実施例】
【０００８】
図１〜図２は、本考案に係る盆飾り棚を組み立てた状態の説明図である。以下、符号を用いて各部の構成を詳述すると、1,1aは、上端が山型にカットされた側板、２は側板1,1aに、蝶板9,9a 、10,10aで折り畳み自在に固定された上段板である。
固定バー6,6a、下段板3は接着されている。
補助具5,5a は下段板３を横架して固定するために、側板1,1aに接着させている板である。  
【０００９】
図３は、側板1,1aと上段板2を蝶板9,9a 、10,10aで折り畳み自在に固定されたものである。板5,5aが、側板1,1aに固定されている。穴7,7a は竹飾りの竹を固定するために穴である。
【００１０】
図４は、下段の図面で、固定バー6,6aが補助具5,5aに上からはめ込み固定させる。穴8,8aは竹飾りの竹を固定するための穴である。
【００１１】
図５は、下段部を裏返しにした図面。
【００１２】
図６は図３の部分を折り畳んだ図である。
【００１３】
図７は、図６の状態を側面から見た図である。
【図面の簡単な説明】
【００１４】
【図１】完成後の全体図
【図２】完成後の全体図
【図３】側板及び上段板を蝶板で固定した部分の図面
【図４】下団部の図面
【図５】下段部を裏返した図面
【図６】「図３」を折り畳んだときの図面
【図７】「図６」を側面から見たときの図
【図８】側板部と下段部との接合した解説図
【符号の説明】
【００１５】
１    側板
１ａ  側板
２    上段板
３    下段板
５    補助具
５ａ  補助具
６    固定バー
６ａ  固定バー
７    穴
７ａ  穴
８    穴
８ａ  穴
９    蝶番
９ａ  蝶番
10    蝶番
10ａ  蝶番    
【図１】
0003144466.tif 000003
【図２】
0003144466.tif 000004
【図３】
0003144466.tif 000005
【図４】
0003144466.tif 000006
【図５】
0003144466.tif 000007
【図６】
0003144466.tif 000008
【図７】
0003144466.tif 000009
【図８】
0003144466.tif 000010
(57)【要約】      （修正有）【課題】タバコの煙を濾過し有害成分を除去するタバコ用フィルターを提供する。【解決手段】既存のタバコフィルターに活性炭よりも高い吸着能力のある多孔質炭素繊維を組み込み、このフィルターを通すことによりタバコの味覚を変えることなく、タバコの煙などに含まれる有害成分を除去できるフィルター構造となる。【選択図】図１
0003144438.tif 000002
【実用新案登録請求の範囲】
【請求項１】
多孔質炭素繊維を用いたタバコフィルター。
【請求項２】
多孔質炭素繊維をフィルターの中に挟みこんだ請求項１のタバコフィルター。
【請求項３】
多孔質炭素繊維を微小化した請求項１のタバコフィルター。
【請求項４】
多孔質炭素繊維を１〜３ｍｇ添加した請求項１〜３のタバコフィルター。
【考案の詳細な説明】
【技術分野】
【０００１】
本考案は、タバコの煙を濾過し有害成分を除去するタバコ用フィルターに関する。
【背景技術】
【０００２】
近年、タバコに含まれるニコチン、タール等の有害成分が健康を損なう恐れがあるためにタバコの販売の規制が進んでいる。そのため、フィルターの改善、吸着剤の利用など色々と検討されてきた。オーソドックスな活性炭で除去する方法や、コーヒー豆糟で除去する方法（例えば特開平１７−８０６４１公報）や、窒素ガスで封じる方法（例えば特開平２０−４８７１５号公報）が提唱されている。
【考案の開示】
【考案が解決しようとする課題】
【０００３】
しかし、コーヒー豆糟や窒素ガスなどの新技術は取り扱いの問題から既存の活性炭に比べほとんど普及していないのが現状である。
【課題を解決するための手段】
【０００４】
本発明は、既存のタバコフィルターに活性炭よりも高い吸着能力のある多孔質炭素繊維を組み込み、このフィルターを通すことによりタバコの味覚を変えることなく、タバコの煙などに含まれる有害成分を除去できるフィルターを提供することを目的としている。
【考案の効果】
【０００５】
請求項１記載の考案は、多孔質炭素繊維を用いたタバコフィルターである。
【０００６】
請求項１記載の考案では、このタバコフィルターを用いることにより、タバコの味覚を変えることなく、タバコの煙などに含まれる有害成分を除去できる。
【０００７】
請求項２記載の考案は多孔質炭素繊維をフィルターの断面に挟み込んだものである。
【０００８】
請求項２記載の考案では、多孔質炭素繊維をフィルターの断面に挟み込んだ構造にすることによって、タバコの味覚を変えることなく、タバコの煙などに含まれる有害成分を除去できる。
【０００９】
請求項３記載の考案では多孔質炭素繊維を微小化し、フィルター内部に入れたものである。
【００１０】
請求項３記載の考案では、多孔質炭素繊維を微小化し、フィルター内部に入れることによって、タバコの味覚を変えることなく、タバコの煙などに含まれる有害成分を除去できる。
【００１１】
請求項４記載の考案では多孔質炭素繊維を１〜３ｍｇ添加したものである。
【００１２】
請求項４記載の考案では、多孔質炭素繊維を１〜３ｍｇ添加することによって、タバコの味覚を変えることなく、タバコの煙などに含まれる有害成分を除去できる。
【考案を実施するための最良の形態】
【００１３】
以下、添付の図面を参照しながら、本考案の好ましい形態例について説明する。図１および図２は多孔質炭素繊維をフィルター断面に入れた紙巻タバコ１の図である。
【００１４】
このフィルターは通常の紙巻タバコ１に使用されているフィルター２の断面に多孔質炭素繊維３を挟み込んだものである。図１は横断面に入れたものであり、図２は縦断面に挟み込んだものである。これらの断面は面全体を多孔質炭素繊維が覆うものでも良いし、多孔質炭素繊維の隙間が開いたり間隔が開いた形でも良い。また、多孔質炭素繊維の形態は繊維状のものでも良いし、不織布状に加工したものでも良い。
【００１５】
図３は多孔質炭素繊維を微小化してフィルター内に混ぜ込んだものである。図の様に均一に分散させても良いし、分散を偏らせても良く、この限りではない。
【００１６】
多孔質炭素繊維３の量は１〜３ｍｇが望ましいが、タバコから発生するニコチン・タールなどの量に違いがあるため、この限りではない。
【実施例１】
【００１７】
市販のタバコのホープを使用し、１、２、３、５ｍｇの多孔質炭素繊維をフィルターの断面に挟み込みこのタバコを常習の喫煙者に吸引させて味覚の評価を行った。結果を図２に示す。
【００１８】
タバコの味覚では、多孔質炭素繊維が少量の場合は味を変えることはないが、量が増えるに従い軽く感じた。そして、さらに多くなると苦味が感じられ、味覚は悪くなった。そのため、試供したタバコのホープの場合、味を変えずに使用できる範囲はタバコ１本辺り１〜３ｍｇが適切であった。
【図面の簡単な説明】
【００１９】
【図１】多孔質炭素繊維をフィルター横断面に入れた紙巻タバコ１
【図２】多孔質炭素繊維をフィルター縦割り断面に入れた紙巻タバコ１
【図３】多孔質炭素繊維を微小化し、フィルターに入れた紙巻タバコ１
【図４】タバコの味覚試験
【符号の説明】
【００２０】
１  紙巻タバコ
２  フィルター
３  多孔質炭素繊維
４  微小化した多孔質炭素繊維
【図１】
0003144438.tif 000003
【図２】
0003144438.tif 000004
【図３】
0003144438.tif 000005
【図４】
0003144438.tif 000006
(57)【要約】      （修正有）【課題】前方に障害物があり、視界の確保が困難な場合にも、運転席から、容易に左前方を見わたすことのできるスーパレフトミラーを提供する。【解決手段】２枚の平面鏡１を向かい合わせに連結して、片方の平面鏡を左側サイドミラーステ４に固定して、もう一方の平面鏡を前記片方の平面鏡に対して角度が調整できるようにした事で左側前方の視界を広げ、死角を解消する。【選択図】図５
0003144490.tif 000002
【実用新案登録請求の範囲】
【請求項１】
従来のトラック等の左側サイドミラーでは渋滞時、前車に同型以上のトラック等が同じ車線に並んでいる場合、従来のトラック等の左側サイドミラーだけでは、視角がさえぎられ運転席から前方の状況が把握できなかったのを解消する左側サイドミラー。
【考案の詳細な説明】
【技術分野】
【０００１】本考案は、同型以上のトラックが前方に停車した場合に左前方の視界を確保する事に関するものである。
【背景技術】
【０００２】従来の左側サイドミラーでは、前車に同型以上のトラック等が同じ車線に止まっている場合、視界がさえぎられ、運転席から前方の状況が把握できない為、路側帯に幅寄せをしようとした時、逆送進行してくる自転車等が死角に入り気が付きにくく危険である。（図３）又、工業地帯や市街地の倉庫周辺などでは、右側にトラックを駐車して待機する場合が有り、このような時、発進する場合に対向車両やバイク、自転車、歩行者等の有り無しが確認しにくく安全確保が出来なかった。
【考案の開示】
【考案が解決しようとする課題】
【０００３】ドライバーの視角を広げ出来る限り死角を無くし、危険な状況が前方に有るか無いか、認識出来るようにし、安全運転確保に役立てる目的である。
【課題を解決する為の手段】
【０００４】本考案は、トラック等の左側サイドミラーの取り付けステを利用して、本品を取り付けることにより、前方に障害物があり、視界の確保が困難な場合、運転席から容易に左前方が見わたらせ、ドライバーの前方への不安心理を解消します。
【考案の効果】
【０００５】従来のトラックの左側サイドミラーでは同型以上のトラックが前方で停車した場合、左側の視角の確保が出来なくなり、道路状況が、わかりにくかった。しかし、本考案のスーパーレフトミラーを装着する事により運転席から前方の視角が広がり、自転車等接触事故減少に貢献できる効果が有るのでは無いかと考えます。
【考案の実施するための最良の形態】
【０００６】左側サイドミラーのステ（図３−４・図４−４）を利用して、平面鏡を向かい合わせに角度を調整しながら、取り付けステを利用して装着する事により、（図３−１・図４−１）運転席から、左側前方の視角を広げる。
【図面の簡単な説明】
【０００７】
【図１】スーパーレフトミラーの図面です。
【図２】スーパーレフトミラーの平面図です。
【図３】スーパーレフトミラーを車体に取り付けた図面です。
【図４】スーパーレフトミラーを車体に取り付けた平面図です。
【図５】スーパーレフトミラーに映る視角の図面です。
【符号の説明】
【０００８】１      ミラー
２      向かい合わせ、角度調節取り付けステ
３      車体に取り付けるスーパーレフトミラーのステ
４      車体の左側サイドミラーのステ
５      ドライバーから見えるスーパーレフトミラーに映る視角
６      歩道
７      自転車
８      路側帯
９      車体
【図１】
0003144490.tif 000003
【図２】
0003144490.tif 000004
【図３】
0003144490.tif 000005
【図４】
0003144490.tif 000006
【図５】
0003144490.tif 000007
【手続補正書】
【提出日】平成20年6月2日(2008.6.2)
【手続補正１】
【補正対象書類名】実用新案登録請求の範囲
【補正対象項目名】全文
【補正方法】変更
【補正の内容】
【実用新案登録請求の範囲】
【請求項１】
従来のトラック等の左側サイドミラーでは渋滞時、前車に同型以上のトラック等が同じ車線に並んでいる場合、左側サイドミラーだけでは視角がさえぎられ、運転席から左側前方の状況が把握できなかったが、２枚の平面鏡を向かい合わせに連結して、片方の平面鏡を左側サイドミラーステに固定して、もう一方の平面鏡を前記片方の平面鏡に対して角度が調整できるようにした事が特徴でこうした事によって左側前方の視界を広げ、死角を解消することで左前方の安全確保が出来る左サイドミラー。